(57)【要約】【課題】縦張りの押出成形セメント板の目地部内に浸入した雨水を当該押出成形セメント板の前面より確実に外部に排出することができる水切り材を提供する。【解決手段】上下端面で開口する複数の中空部１００が並設された押出成形セメント板Ｓを縦張りする際の横目地部に設けられる押出成形セメント板用水切り材１。押出成形セメント板Ｓの下端面１０２と対向して配置される帯板状の水平部２と、この水平部２の後方辺から立設され、前記押出成形セメント板Ｓの背面１０３と対向して配置される起立部３と、前記水平部２の前方辺２ａ、左辺２ｂおよび右辺２ｃの３辺に沿って設けられた溝部４と、前方辺２ａに沿った溝部と連通し、当該溝部内の雨水を外部に排出するための排水路５とを備えている。  【選択図】      図１
2010053591.tif 000002
【特許請求の範囲】
【請求項１】
上下端面で開口する複数の中空部が並設された押出成形セメント板を縦張りする際の横目地部に設けられる押出成形セメント板用水切り材であって、
押出成形セメント板の下端面と対向して配置される帯板状の水平部と、
この水平部の後方辺から立設され、前記押出成形セメント板の背面と対向して配置される起立部と、
前記水平部の前方辺、左辺および右辺の３辺に沿って設けられた溝部と、
前方辺に沿った溝部と連通し、当該溝部内の雨水を外部に排出するための排水路と
を備えたことを特徴とする押出成形セメント板用水切り材。
【請求項２】
左右の各端部に、押出成形セメント板の背面側肉厚部と当接する折り返し部が設けられている請求項１に記載の押出成形セメント板用水切り材。
【請求項３】
前記溝部が、水平部の前方辺、左辺および右辺から下方に延設された垂下部と、この垂下部の下端から水平方向に延びる底部と、この底部の先端から上方に延設された立壁部とで構成されている請求項１または２に記載の押出成形セメント板用水切り材。
【請求項４】
前記底部のうち前記水平部の前方辺に沿って設けられた底部に、前記排水路に向かって下降する勾配が形成されている請求項３に記載の押出成形セメント板用水切り材。
【請求項５】
前記立壁部のうち前記水平部の左辺および右辺に沿って設けられた立壁部の高さが、押出成形セメント板用水切り材の左右の各端部において当該端部と密接して前後方向に配設されるガスケットの高さ以下となるように設定されている請求項３または４に記載の押出成形セメント板用水切り材。
【請求項６】
上下端面で開口する複数の中空部が並設された押出成形セメント板を縦張りする際の横目地部に設けられる押出成形セメント板用水切り材であって、
左側部、中間部および右側部から構成されており、
前記左側部は、押出成形セメント板の下端面と対向して配置される左側水平部と、この左側水平部の後方辺から立設され、前記押出成形セメント板の背面と対向して配置される左側起立部と、前記左側水平部の前方辺および左辺の２辺に沿って設けられた左側溝部とを備えており、
前記中間部は、押出成形セメント板の下端面と対向して配置される中間水平部と、この中間水平部の後方辺から立設され、前記押出成形セメント板の背面と対向して配置される中間起立部と、前記中間水平部の前方辺に沿って設けられた中間溝部とを備えており、
前記右側部は、押出成形セメント板の下端面と対向して配置される右側水平部と、この右側水平部の後方辺から立設され、前記押出成形セメント板の背面と対向して配置される右側起立部と、前記右側水平部の前方辺および右辺の２辺に沿って設けられた右側溝部とを備えており、
前記左側水平部の前方辺に沿った左側溝部、前記中間水平部の前方辺に沿った中間溝部、および前記右側水平部の前方辺に沿った右側溝部の少なくとも一つと連通し、当該溝部内の雨水を外部に排出するための排水路が設けられていることを特徴とする押出成形セメント板用水切り材。
【請求項７】
前記左側部の左側端部および前記右側部の右側端部に、押出成形セメント板の背面側肉厚部と当接する折り返し部がそれぞれ設けられている請求項６に記載の押出成形セメント板用水切り材。
【請求項８】
請求項１〜７のいずれかに記載の押出成形セメント板用水切り材を用いた、上下端面で開口する複数の中空部が並設された押出成形セメント板を縦張りする際の横目地部の防水構造であって、前記押出成形セメント板を支持するための下地アングルに当接するように前記押出成形セメント板用水切り材を配設することを特徴とする防水構造。
【発明の詳細な説明】
【技術分野】
【０００１】
本発明は押出成形セメント板用水切り材（以下、単に「水切り材」ともいう）およびこれを用いた防水構造に関する。さらに詳しくは、中空部を有する押出成形セメント板を当該中空部が垂直方向となるように縦張りして建物の外壁を構成する際に、当該押出成形セメント板間の横目地部に設けられる水切り材、およびこれを用いた、建物外壁の防水構造に関する。
【背景技術】
【０００２】
上下端で開口する複数の中空部を有する押出成形セメント板は軽量で高強度であることから、建物の外壁材として広く用いられている。このような押出成形セメント板を用いた外壁では、一般に、建物の躯体にアングルなどの下地鋼材を取り付け、押出成形セメント板の背面に設けたＺクリップなどの取付金具を用いて当該押出成形セメント板を前記下地鋼材に取り付けている。
【０００３】
このような押出成形セメント板で外壁を構成する場合、上下に隣接する押出成形セメント板間に横目地が形成され、また、左右に隣接する押出成形セメント板間に縦目地が形成される。これら横目地および縦目地にパッキング材（バックアップ材）を挿入し、ついでシーリング材を充填することで、これらの目地部から建物の室内側への雨水の浸入を阻止している（一次防水）。
また、押出成形セメント板が上下に連続する縦張りの場合においてより高い防水性能が目地部に要求されるときは、前記横目地部に水切り材が設けられる（二次防水）。
【０００４】
このような水切り材を用いた防水構造として、特許文献１には、中空部を有する押出成形セメント板の横目地内に、当該押出成形セメント板の内面側から挿入されて前記中空部を横目地に沿って延びる樋状部と、この樋状部の先端から下方に屈曲されて前記樋状部で集水された水を前記中空部の下方に導く案内部とを有する水切り材を設けた止水構造が記載されている。
【０００５】
特許文献１記載の止水構造では、押出成形セメント板で構成された外壁の上側の押出成形セメント板上部の目地部の欠損などによって中空部に浸入した雨水は中空部内を下方に流れるが、下側の目地部では、前記水切り材の樋状部と当該水切り材の内面側の起立辺とで室内側への雨水の浸入が阻止され、この雨水は、樋状部の先端から下方に屈曲された案内部により下側押出成形セメント板の中空部へと導かれ、最終的に最下部の押出成形セメント板の中空部から外部に排出される。
【０００６】
しかし、特許文献１記載の止水構造では下側の押出成形セメント板の中空部に雨水を流す構成であるため、押出成形セメント板と窓などの開口部のサッシとの取り合い部（押出成形セメント板下部とサッシ上部との境界部）には当該止水構造を用いることができず、サッシ側に防水構造を設けるか、または中空部からサッシを避ける部位まで雨水を逃がすなどの措置が必要であった。
【０００７】
これに対し、特許文献２には、中空部を有する押出成形セメント板を縦置き配列して形成される外壁の排水構造が開示されており、水抜縦穴を有するバックアップ材を、水切板の下部垂下片の前面に一体的に取付固定した第１内水切板と、上部に横溝を有するバックアップ材を水切板の下部垂下片の前面に一体的に取付固定した第２内水切板とを前記外壁の横目地内に並列して取り付けることが記載されている。
【０００８】
特許文献２記載の排水構造において、押出成形セメント板で構成された外壁で上下に押出成形セメント板が連続する目地部には前記第１内水切板が取り付けられ、目地部の欠損などにより上側押出成形セメント板の中空部に浸入した雨水は、この第１内水切板の水抜縦穴より下側押出成形セメント板の中空部に導かれる。また、開口部における押出成形セメント板とサッシ部の取り合い部（押出成形セメント板下部とサッシ上部）においては、前記第２内水切板が取り付けられる。目地部の欠損などにより上側押出成形セメント板の中空部内に浸入した雨水は、この第２内水切板により、サッシ側への浸入が防水されるとともに開口部のない第１内水切板へと導かれる。
【０００９】
【特許文献１】実用新案登録第３０１８５８７号明細書
【特許文献２】特開平１１−２２９５４３号公報
【発明の開示】
【発明が解決しようとする課題】
【００１０】
しかし、特許文献２記載の排水構造の場合、前記取り合い部においては第２内水切板から第１内水切板まで浸入した雨水を導く必要があり、開口幅が大きい場合には浸入した雨水の流れる距離が大きくなる。この場合、内水切板を複数接合することになるが、接合部の数が多くなると内水切板の接合部などから下部に雨水が漏れる惧れがある。また、内水切板の取付け状態や施工精度によっては、雨水の流れが悪くなる部分が発生し、内水切板の上に雨水が滞留するなどの不具合が生じる惧れがある。特に連窓のように開口幅が大きくなる場合（数十ｍにも及ぶ場合もある）は、雨水が流れる部分に適切な勾配を与えるのが困難であり、雨水が滞留し易くなる。さらに、内水切板上に雨水が滞留すると、押出成形セメント板の下部が常時湿潤状態となる可能性もあり、これが長期間に亘る場合には、押出成形セメント板中空部や裏面側にカビが発生する原因にもなり、このカビが室内環境に影響を及ぼす惧れもある。
【００１１】
本発明は、このような事情に鑑みてなされたものであり、縦張りの押出成形セメント板の目地部内に浸入した雨水を当該押出成形セメント板の前面より確実に外部に排出することができる押出成形セメント板用水切り材およびこれを用いた防水構造を提供することを目的としている。
【課題を解決するための手段】
【００１２】
本発明の第１の観点に係る水切り材は、上下端面で開口する複数の中空部が並設された押出成形セメント板を縦張りする際の横目地部に設けられる押出成形セメント板用水切り材であって、
押出成形セメント板の下端面と対向して配置される帯板状の水平部と、
この水平部の後方辺から立設され、前記押出成形セメント板の背面と対向して配置される起立部と、
前記水平部の前方辺、左辺および右辺の３辺に沿って設けられた溝部と、
前方辺に沿った溝部と連通し、当該溝部内の雨水を外部に排出するための排水路と
を備えたことを特徴としている。
【００１３】
本発明の第１の観点に係る水切り材では、押出成形セメント板の下端面と対向して配置される帯板状の水平部の３辺に沿って溝部を設けるとともに、この溝部のうち前記水平部の前方辺に沿った溝部と連通し、当該溝部内の雨水を外部に排出するための排水路を設けている。これにより、目地部から浸入した雨水は押出成形セメント板の中空部を経由するなどして水切り材の水平部に達し、ついで溝部に流れ込む。そして、この溝部に流れた雨水は当該溝部と連通している排水路によって押出成形セメント板の前面より外部に排出される。このため、押出成形セメント板と開口部の取り合い部においても、従来のように開口部を避けて雨水を左右に流すことなく、この開口部だけで雨水の排水を完結させることができ、サッシとの取り合い部においても十分な二次防水構造とすることができる。これにより、連窓のように開口幅が大きい場合でも目地部における二次防水の信頼性を向上させることができる。
【００１４】
また、水切り材のサイズや排水路の数を調整することで雨水が流れる距離を短くすることができ、その結果、溝部に容易に勾配を与えることができ、当該溝部での雨水の滞留を確実になくすことができる。
さらに、本発明の水切り材を上下の押出成形セメント板の横目地部に用いる場合、水切り材の幅を、押出成形セメント板１枚分、または２〜３枚分程度に限定することにより、万一シーリング材が欠損するなどして漏水が発生したとしても、排水路からの排水を確認することにより漏水の位置を容易に特定することができる。これにより、シーリング材の補修を迅速且つ容易に行うことができる。
なお、本明細書において「前方」とは、水切り材を外壁の横目地部に使用する場合において室外側をいい、また、「後方」または「背面」とは室内側をいう。
【００１５】
左右の各端部に、押出成形セメント板の背面側肉厚部と当接する折り返し部が設けられているのが好ましい。この場合、中空部から流れてきた雨水が室内側に浸入するのをより確実に阻止することができ、また起立部を補強することができる。
【００１６】
前記溝部を、水平部の前方辺、左辺および右辺から下方に延設された垂下部と、この垂下部の下端から水平方向に延びる底部と、この底部の先端から上方に延設された立壁部とで構成することができる。この場合、水切り材の水平部と、溝部を構成する垂下部、底部および立壁部とを金属薄板を成形加工することで作製することができ、水切り材を簡単かつ低コストで作製することができる。
【００１７】
前記底部のうち前記水平部の前方辺に沿って設けられた底部に、前記排水路に向かって下降する勾配が形成されているのが好ましい。この場合、溝部に流れ込んだ雨水をより確実に排水路に導くことができる。本発明では、水切り材の幅を所望により小さく設定することができる、すなわち雨水が溝部を流れる距離を短く設定することができるので、容易に勾配をつけることができる。
【００１８】
前記立壁部のうち前記水平部の左辺および右辺に沿って設けられた立壁部の高さが、押出成形セメント板用水切り材の左右の各端部において当該端部と密接して前後方向に配設されるガスケットの高さ以下となるように設定されているのが好ましい。この場合、左右の押出成形セメント板間の縦目地部から浸入した雨水を、前記ガスケットから溝部に流入させることができ、当該雨水が室内側へ浸入するのを確実に阻止することができる。
【００１９】
本発明の第２の観点に係る水切り材は、上下端面で開口する複数の中空部が並設された押出成形セメント板を縦張りする際の横目地部に設けられる押出成形セメント板用水切り材であって、
左側部、中間部および右側部から構成されており、
前記左側部は、押出成形セメント板の下端面と対向して配置される左側水平部と、この左側水平部の後方辺から立設され、前記押出成形セメント板の背面と対向して配置される左側起立部と、前記左側水平部の前方辺および左辺の２辺に沿って設けられた左側溝部とを備えており、
前記中間部は、押出成形セメント板の下端面と対向して配置される中間水平部と、この中間水平部の後方辺から立設され、前記押出成形セメント板の背面と対向して配置される中間起立部と、前記中間水平部の前方辺に沿って設けられた中間溝部とを備えており、
前記右側部は、押出成形セメント板の下端面と対向して配置される右側水平部と、この右側水平部の後方辺から立設され、前記押出成形セメント板の背面と対向して配置される右側起立部と、前記右側水平部の前方辺および右辺の２辺に沿って設けられた右側溝部とを備えており、
前記左側水平部の前方辺に沿った左側溝部、前記中間水平部の前方辺に沿った中間溝部、および前記右側水平部の前方辺に沿った右側溝部の少なくとも一つと連通し、当該溝部内の雨水を外部に排出するための排水路が設けられていることを特徴としている。
【００２０】
本発明の第２の観点に係る水切り材では、水切り材が３つの部分、すなわち左側部、中間部および右側部から構成されているので、前記第１の観点に係る水切り材により得られる効果に加え、中間部の幅を適宜変更することで押出成形セメント板のサイズ（幅）に応じた水切り材を簡単に且つ低コストで提供することができる。
【００２１】
前記左側部の左側端部および前記右側部の右側端部に、押出成形セメント板の背面側肉厚部と当接する折り返し部がそれぞれ設けられているのが好ましい。この場合、中空部から流れてきた雨水が室内側に浸入するのをより確実に阻止することができ、また起立部を補強することができる。
【００２２】
本発明の防水構造は、前述した押出成形セメント板用水切り材を用いた、上下端面で開口する複数の中空部が並設された押出成形セメント板を縦張りする際の横目地部の防水構造であって、前記押出成形セメント板を支持するための下地アングルに当接するように前記押出成形セメント板用水切り材を配設することを特徴としている。
【００２３】
本発明の防水構造では、前述した水切り材を用いているので、目地部から浸入した雨水は押出成形セメント板の中空部を経由するなどして水切り材の水平部に達し、ついで溝部に流れ込む。そして、この溝部に流れた雨水は当該溝部と連通している排水路によって外部に排出される。このため、押出成形セメント板と開口部の取り合い部においても、従来のように開口部を避けて雨水を左右に流すことなく、この開口部だけで雨水の排水を完結させることができ、サッシとの取り合い部においても十分な二次防水構造とすることができる。これにより、連窓のように開口幅が大きい場合でも目地部における二次防水の信頼性を向上させることができる。
【発明の効果】
【００２４】
本発明の水切り材およびこれを用いた防水構造によれば、縦張りの押出成形セメント板の目地部内に浸入した雨水を当該押出成形セメント板の前面より確実に外部に排出することができる。
【発明を実施するための最良の形態】
【００２５】
以下、添付図面を参照しつつ、本発明の水切り材およびこれを用いた防水構造の実施の形態を詳細に説明する。
図１は本発明の一実施の形態に係る水切り材１の斜視説明図であり、図２は図１に示される水切り材１の横断面図である。水切り材１は、上下端面で開口する複数の中空部１００が並設された押出成形セメント板Ｓ（図３参照）を縦張りする際の横目地部に設けられる。
【００２６】
水切り材１は、押出成形セメント板Ｓの下端面１０２（図４〜５参照）と対向して配置される水平部２と、押出成形セメント板Ｓの背面１０３と対向して配置される起立部３と、前記水平部２の前方辺２ａ、左辺２ｂおよび右辺２ｃの３辺に沿って設けられた溝部４と、この溝部４内の雨水を外部に排出するための排水路である排水孔５とを備えている。また、水切り材１の左右の各端部には、押出成形セメント板Ｓの背面側肉厚部１０１と当接する折り返し部６が設けられている。
【００２７】
水平部２は帯板状であり、その長手方向の寸法は水切り材１が使用される押出成形セメント板Ｓの幅の大きさ（通常、５９２〜１１８５ｍｍ程度である）に合わせて設定される。本実施の形態では、この水平部２の後方辺に、上昇する傾斜部７が当該水平部２に連続して設けられており、この傾斜部７から起立部３が略垂直方向に立設されている。本実施の形態では、後述するように押出成形セメント板Ｓを建物の躯体に取り付ける下地鋼材としてアングル材を用いているので、このアングル材の内面側の隅部のアールを避けて前記水平部２と起立部３を当該アングル材の内面と密接させるために傾斜部７が設けられている。しかし、この傾斜部７は下地鋼材の形状によっては省略が可能であり、この場合は水平部２の後方辺から直接に起立部３が略垂直方向に立設される。
【００２８】
前記溝部４は、水平部２の前方辺２ａ、左辺２ｂおよび右辺２ｃから下方に延設された垂下部８と、この垂下部８の下端から水平方向に延びる底部９と、この底部９の先端から上方に延設された立壁部１０とで構成されている。立壁部１０の高さｈ１は、後述する受けアングルの平面部と押出成形セメント板Ｓの下端面１０２との間に水切り材１を配設する際に当該立壁部１０の先端が押出成形セメント板Ｓの下端面１０２と接触するのを回避するために、垂下部８の高さｈ２よりも若干（例えば、５ｍｍ程度）低くなるように設定されている。また、前記底部９のうち前記水平部２の前方辺２ａに沿って設けられた底部に、前記排水孔５に向かって下降する勾配が形成されているのが好ましい。この場合、溝部４に流れ込んだ雨水をより確実に排水孔５に導いて当該溝部４に滞留するのを阻止することができる。なお、本発明では水切り材の幅を所望により小さく設定することができる、すなわち雨水が溝部４を流れる距離を短く設定することができるので、容易に勾配をつけることができる。
【００２９】
排水孔５は、前記立壁部１０のうち水平部２の前方辺２ａに沿った立壁部１０ａに取り付けられている。短円筒体からなる排水孔５の軸方向の長さは、水切り材１を横目地内に配設したときに当該排水孔５の先端面が押出成形セメント板Ｓの外表面よりわずかに突出する程度に設定される（図４参照）。
【００３０】
水切り材１は、アルミニウム、ステンレスなどの金属や、ポリ塩化ビニルなどの合成樹脂により作製することができる。図１に示される形状の場合、水切り材１の水平部２と、溝部４を構成する垂下部８、底部９および立壁部１０とを厚さ０．４ｍｍ程度の金属薄板を成形加工することで作製することができ、水切り材１を簡単かつ低コストで作製することができる。
【００３１】
図３は図１に示される水切り材の使用状態説明図であり、この例では、簡単のために３枚の押出成形セメント板Ｓが左右方向に並設されているが、実際の外壁においては上下方向にも複数枚の押出成形セメント板Ｓが設けられ、また左右方向にも複数枚の押出成形セメント板Ｓが並設されるのが一般的である。水切り材１は、押出成形セメント板Ｓの下端面と、下地鋼材である受けアングル１２の内側水平面１２ａとの間において、水切り材１の水平部２が押出成形セメント板Ｓの下端面と対向するように配設される。図３に示される例では、１枚の押出成形セメント板Ｓに１つの水切り材１が使用されているが、水切り材１の長さを適宜変更することによって、複数の押出成形セメント板Ｓにまたがる構成とすることも可能である。
【００３２】
図４は図１に示される水切り材をサッシ上部の横目地部に設けたときの断面説明図であり、簡単のために建物躯体の構造材の図示は省略している。
図４において、１３は開口補強用アングルであり、この開口補強用アングル１３に溶着された棒状の開口取付材１４に、開口部（窓）を構成するサッシ１５が取り付けられる。押出成形セメント板Ｓは、その上部が、建物の躯体に取り付けられた下地鋼材であるＬ型アングル（図示せず）にＺクリップなどの取付金具によって中空部１００が垂直方向となるように取り付けられ、その下部は、開口補強用アングル１３に取り付けられた下地鋼材である受けアングル１２の内側水平面１２ａ上に載置される。
【００３３】
水切り材１は、その水平部２および起立部３がそれぞれ前記受けアングル１２の内側水平面１２ａおよび内側垂直面１２ｂに当接するように当該受けアングル１２の上側に配設される。そして、押出成形セメント板Ｓは、その背面１０３に水切り材１の起立部３との間に出入り調整用のパッキング材１６を挟みこんだ状態で受けアングル１２上に載置される。すなわち、押出成形セメント板Ｓは水切り材１を挟んで受けアングル１２上に載置される。このとき水切り材１の水平部２は押出成形セメント板Ｓの下端面１０２と対向した位置にあり、また起立部３は押出成形セメント板Ｓの背面１０３と対向した位置にある。
【００３４】
水切り材１の溝部４のうち水平部２の前方辺２ａに沿った溝部が、押出成形セメント板Ｓとサッシ１５との間に形成される横目地部に配設される。そして、この溝部を構成する立壁部１０ａの前面に接するようにバックアップ材１７が挿入され、ついでこのバックアップ材１７の前面にシーリング材１８が打設される。排水孔５は、前記バックアップ材１７およびシーリング材１８を貫通して、その先端がシーリング材１８の表面から外部に突出している。
【００３５】
左右の押出成形セメント板Ｓ間の縦目地部では、図５に示されるように、水切り材１の溝部４のうち水平部２の左辺２ｂまたは右辺２ｃに沿った溝部が配設され、また水切り材１の両端部に設けられた折り返し部６が押出成形セメント板Ｓの背面側肉厚部１０１と接している。なお、図５では、簡単のため縦目地部における片方の押出成形セメント板Ｓしか図示していない。
【００３６】
左右の水切り材１の溝部と押出成形セメント板Ｓの背面側肉厚部１０１との間にはガスケット２０が挿入されており、このガスケット２０は、上下方向に沿って配設される縦ガスケット２１と、前記溝部に沿って前後方向に配設される横ガスケット２２とからなっている。立壁部のうち水平部２の左辺２ｂまたは右辺２ｃに沿って設けられた立壁部の高さは、前記横ガスケット２２の高さｈ３以下となるように設定されている。これにより、左右の押出成形セメント板間の縦目地部から浸入した雨水を、前記横ガスケット２２から溝部に流入させることができ、当該雨水が室内側へ浸入するのを確実に阻止することができる。
【００３７】
横目地部では、例えば目地部を構成するシーリング材の欠損などによって押出成形セメント板Ｓの中空部１００に雨水が浸入した場合、当該中空部１００から下方へ雨水が流れるが、この雨水は水切り材１の水平部２によってサッシ１５側へ流入するのが阻止される。また、押出成形セメント板Ｓの背面側に廻った雨水も水切り材１の起立部３によって室内側へ流入するのが阻止される。流入した雨水は水平部２から溝部４へと流れ、最終的に排水孔５から外部へと排出される。
【００３８】
一方、縦目地部では、押出成形セメント板Ｓの背面側肉厚部１０１に設けられた縦ガスケット２１によって室内側への雨水の浸入が阻止され、縦目地部を下方に流れた雨水は横ガスケット２２によってサッシ１５側へ流入するのが阻止され、水切り材１の溝部４へと流れ、同じく最終的に排水孔５から外部へと排出される。
【００３９】
本実施の形態に係る水切り材１によれば、目地部から浸入した雨水は押出成形セメント板Ｓの前面から排出されるので、押出成形セメント板Ｓとサッシ１５の取り合い部においても、従来のようにサッシ１５を避けて雨水を左右に流すことなく、このサッシ１５だけで雨水の排水を完結させることができ、サッシ１５との取り合い部においても十分な二次防水構造とすることができる。これにより、連窓のように開口幅が大きい場合でも目地部における二次防水の信頼性を向上させることができる。
【００４０】
また、水切り材１のサイズや排水孔５の数を調整することで雨水が流れる距離を短くすることができ、その結果、溝部４に容易に勾配を与えることができ、当該溝部４での雨水の滞留を確実になくすことができる。
【００４１】
なお、前述した目地部からの雨水の浸入は、例えばシーリング材が長に亘って繰り返される温度変化などで劣化し、押出成形セメント板Ｓとシーリング材との接着剤力がなくなり、界面剥離することにより、その部分から雨水が浸入することが考えられる。ただし、シーリング材が丸ごと欠損することは通常ありえないことであるので、目地部の欠損による雨水の浸入といっても大量の雨水が流れ込むものではなく、したがって雨天時に水切り材の排水孔５から大量の雨水が常に排水されることはない。そして、排水孔５から大量に雨水が排水されることはないので、排水孔５が開口部の上にあっても当該排水孔５からの雨水の流れが開口部に影響を及ぼすことはない。
【００４２】
図６は、本発明の他の実施の形態に係る水切り材３０の斜視説明図であり、図７は図６に示される水切り材３０の左側部３１の斜視説明図である。水切り材３０は、左側部３１、中間部４１および右側部５１の３つの部分から構成されている。
左側部３１は、押出成形セメント板の下端面と対向して配置される左側水平部３２と、この左側水平部３２の後方辺から立設され、前記押出成形セメント板の背面と対向して配置される左側起立部３３と、前記左側水平部３２の前方辺および左辺の２辺に沿って設けられた左側溝部３４とを備えている。また、左側部３１の左側端部には、押出成形セメント板の背面側肉厚部と当接する左側折り返し部３６が設けられている。さらに、左側溝部３４と連通し、当該左側溝部３４を含む溝部内の雨水を外部に排出するための排水孔３５が設けられている。
【００４３】
中間部４１は、押出成形セメント板の下端面と対向して配置される中間水平部４２と、この中間水平部４２の後方辺から立設され、前記押出成形セメント板の背面と対向して配置される中間起立部４３と、前記中間水平部４２の前方辺に沿って設けられた中間溝部４４とを備えている。
【００４４】
右側部５１は、押出成形セメント板の下端面と対向して配置される右側水平部５２と、この右側水平部５２の後方辺から立設され、前記押出成形セメント板の背面と対向して配置される右側起立部５３と、前記右側水平部５２の前方辺および右辺の２辺に沿って設けられた右側溝部５４とを備えている。また、右側部５１の右側端部には、押出成形セメント板の背面側肉厚部と当接する右側折り返し部５６が設けられている。
【００４５】
図６に示される水切り材３０では、水切り材３０が３つの部分、すなわち左側部３１、中間部４１および右側部５１から構成されているので、前述した図１〜５に示される水切り材１により得られる効果に加え、中間部４１の幅を適宜変更することで押出成形セメント板のサイズ（幅）に応じた水切り材３０を簡単に且つ低コストで提供することができる。
【００４６】
なお、本発明の水切り材を上下の押出成形セメント板の横目地部に用いる場合、水切り材の幅を、押出成形セメント板１枚分、または２〜３枚分程度に限定することにより、万一シーリング材が欠損するなどして漏水が発生したとしても、排水路からの排水を確認することにより漏水の位置を容易に特定することができる。これにより、シーリング材の補修を迅速且つ容易に行うことができる。従来のように雨水を押出成形セメント板の中空部に順次導く方法では、最下部の押出成形セメント板から雨水が排出されるので、漏水位置を特定するのが困難である。
【図面の簡単な説明】
【００４７】
【図１】本発明の水切り材の一実施の形態の斜視説明図である。
【図２】図１に示される水切り材の横断面図である。
【図３】図１に示される水切り材の使用状態説明図である。
【図４】図１に示される水切り材をサッシ上部の横目地部に設けたときの断面説明図である。
【図５】水切り材の左側端部の防水構造を示す斜視説明図である。
【図６】本発明の水切り材の他の実施の形態の斜視説明図である。
【図７】図６に示される水切り材の左側部の斜視説明図である。
【符号の説明】
【００４８】
１      水切り材
２      水平部
３      起立部
４      溝部
５      排水孔（排水路）
６      折り返し部
７      傾斜部
８      垂下部
９      底部
１０      立壁部
１２      受けアングル
１５      サッシ
１６      パッキング材
１７      バックアップ材
１８      シーリング材
２０      ガスケット
２１      縦ガスケット
２２      横ガスケット
３０      水切り材
３１      左側部
３２      左側水平部
３３      左側起立部
３４      左側溝部
３５      排水孔
３６      左側折り返し部
４１      中間部
４２      中間水平部
４３      中間起立部
４４      中間溝部
５１      右側部
５２      右側水平部
５３      右側起立部
５４      右側溝部
５６      右側折り返し部
１００    中空部
１０２    下端面
１０３    背面
Ｓ      押出成形セメント板
【図１】
2010053591.tif 000003
【図２】
2010053591.tif 000004
【図３】
2010053591.tif 000005
【図４】
2010053591.tif 000006
【図５】
2010053591.tif 000007
【図６】
2010053591.tif 000008
【図７】
2010053591.tif 000009